(57)【要約】【課題】記録媒体の利便性を向上させ、遊技者及び遊技店の双方の利益に資することができる遊技媒体貸出装置及び遊技媒体貸出装置における遊技価値移行方法を提供する。【解決手段】本発明のカードユニット１００は、残度数が価値付けられたカードを挿入するための挿入口１１０を有し、挿入口１１０から挿入されたカードをカード挿入検知部１０２ａが検知し、この検知されたカードに価値付けられた残度数を読み取り、この読み取った残度数に基づいて遊技媒体を投出して遊技者に貸し出し、挿入されたカードをカード搬送路上のカード読み取り位置、及びカード貯留部１０７で複数保持し、カードユニット１００内に保持される複数のカードそれぞれに価値付けられた残度数を合算し、この複数のカードのうちの一つに移行させて価値付ける有価価値移行手段を備えた。【選択図】        図１
2007143933.tif 000002
【特許請求の範囲】
【請求項１】
記録媒体挿入口から挿入された記録媒体に価値付けられた有価価値に応じて遊技媒体の貸し出し処理を行う遊技媒体貸出装置において、
前記記録媒体挿入口から挿入された前記記録媒体を複数保持する記録媒体保持手段と、
前記記録媒体保持手段により保持される複数の前記記録媒体それぞれに価値付けられた前記有価価値を合算し、合算された前記有価価値を前記複数の記録媒体のうちの一つに移行させて価値付ける有価価値移行手段と
を備えたことを特徴とする遊技媒体貸出装置。
【請求項２】
前記有価価値移行手段は、前記記録媒体が前記記録媒体保持手段に既に保持されている状態で新たに前記記録媒体が追加挿入されたとき、該既に保持されている前記記録媒体に価値付けられている前記有価価値を、該追加挿入された前記記録媒体に合算して価値付けることを特徴とする請求項１に記載の遊技媒体貸出装置。
【請求項３】
前記記録媒体保持手段に保持される前記記録媒体の排出の指示を受け付ける排出指示手段と、
前記排出指示手段により前記排出の指示が受け付けられると、該排出の対象である前記記録媒体を排出する排出手段と
を更に備え、
前記有価価値移行手段は、前記排出指示手段が前記排出指示を受け付けると、前記記録媒体保持手段に保持される前記複数の記録媒体のうち前記排出指示の対象である前記記録媒体に価値付けられている前記有価価値を、前記排出指示の対象とは異なる前記記録媒体に合算して価値付けることを特徴とする請求項１に記載の遊技媒体貸出装置。
【請求項４】
前記記録媒体は、前記有価価値のみが価値付けられた有価価値記録媒体と、前記有価価値が価値付けられ更に遊技者属性情報が記録される遊技者属性記録媒体とを含み、
前記有価価値移行手段は、前記記録媒体が前記遊技者属性記録媒体である場合に、前記有価価値の前記移行価値付けを行わないことを特徴とする請求項１〜３のいずれか一つに記載の遊技媒体貸出装置。
【請求項５】
前記記録媒体保持手段に保持される複数の前記記録媒体の数が所定範囲を超えたことを報知する報知手段を更に備えたことを特徴とする請求項１〜４のいずれか一つに記載の遊技媒体貸出装置。
【請求項６】
記録媒体挿入口から挿入された記録媒体に価値付けられた有価価値に応じて遊技媒体の貸し出し処理を行う遊技媒体貸出装置における遊技価値移行方法において、
前記遊技媒体貸出装置内に保持される複数の前記記録媒体それぞれに価値付けられた前記有価価値を合算し、合算された前記有価価値を前記複数の記録媒体のうちの一つに移行させて価値付ける有価価値移行工程を含んだことを特徴とする遊技媒体貸出装置における遊技価値移行方法。
【発明の詳細な説明】
【技術分野】
【０００１】
本発明は、有価価値が価値付けられた記録媒体（例えば、プリペイドカードや会員カードなどの遊技用カード）を挿入するための挿入口を有し、この挿入口から挿入された記録媒体を検知し、検知された記録媒体に価値付けられた有価価値の数量を読み取り、読み取った有価価値の数量に基づいて遊技媒体（例えば、パチンコ玉やメダル）を投出して遊技者に貸し出す遊技媒体貸出装置に関し、特に、挿入された記録媒体を効率よく補充・回収することを目的とする遊技媒体貸出装置に関する。
【背景技術】
【０００２】
従来から、パチンコ遊技やスロット遊技などの遊技を提供する遊技システムにおいて、遊技者は、パチンコ台やスロット台などの遊技機ごとに配設されたパチンコ玉貸出機やメダル貸出機などの遊技媒体貸出装置からパチンコ玉やメダルなどの遊技媒体を借り受け、この遊技媒体を遊技機に挿入して遊技を行っている。
【０００３】
かかる遊技媒体貸出装置は、有価価値が価値付けられた記録媒体が挿入されると、価値付けられている有価価値の残度数を読み取り、この残度数に応じて遊技媒体を投出するが、遊技機と遊技機との間の限られたスペースに配設にされるため、記憶媒体を挿入するスペースや有価価値を読み出す機構を配置するスペースが制約を受ける。
【０００４】
ここで、例えば特許文献１には、上記制約を回避し、複数種類の記録媒体の読み取り及び所要の処理を１台の遊技媒体貸出装置で可能となるようにした遊技媒体貸出装置が開示されている。
【０００５】
【特許文献１】特開２００２−３０１２６０号公報
【発明の開示】
【発明が解決しようとする課題】
【０００６】
しかしながら、上記特許文献１に代表される従来技術では、遊技者は、複数の記録媒体を所持する場合に、価値付けられた有価価値を記録媒体ごとに使い切らないと残度数を０とすることができないため、少量の残度数が残った記録媒体を多数所持することとなりかねず、不便であった。また、遊技者が記録媒体を多数所持することによって、遊技店は、多くの記録媒体を発行することとなるため、記録媒体の発行コストが負担となっていた。
【０００７】
このことから、遊技者が複数の記録媒体を所持する場合に、この複数の記録媒体をいかにして効率よく使用させるかが極めて重要な課題になってきている。また、遊技者が所持する記録媒体を効率よく回収して発行数を抑制し、記録媒体の発行コストをいかに抑えるかが極めて重要な課題になってきている。
【０００８】
本発明は、上記問題点（課題）を解決するためになされたものであって、遊技者が複数の記録媒体を所持する場合に、この複数の記録媒体をいかにして効率よく使用させ、また、遊技者が所持する記録媒体を効率よく回収して発行数を抑制し、記録媒体の発行コストを抑え、もって記録媒体の利便性を向上させ、遊技者及び遊技店の双方の利益に資することができる遊技媒体貸出装置及び遊技媒体貸出装置における遊技価値移行方法を提供することを目的とする。
【課題を解決するための手段】
【０００９】
上述した問題を解決し、目的を達成するため、本発明は、記録媒体挿入口から挿入された記録媒体に価値付けられた有価価値に応じて遊技媒体の貸し出し処理を行う遊技媒体貸出装置において、前記記録媒体挿入口から挿入された前記記録媒体を複数保持する記録媒体保持手段と、前記記録媒体保持手段により保持される複数の前記記録媒体それぞれに価値付けられた前記有価価値を合算し、合算された前記有価価値を前記複数の記録媒体のうちの一つに移行させて価値付ける有価価値移行手段とを備えたことを特徴とする。
【００１０】
また、本発明は、上記発明において、前記有価価値移行手段は、前記記録媒体が前記記録媒体保持手段に既に保持されている状態で新たに前記記録媒体が追加挿入されたとき、該既に保持されている前記記録媒体に価値付けられている前記有価価値を、該追加挿入された前記記録媒体に合算して価値付けることを特徴とする請求項１に記載の遊技媒体貸出装置。
【００１１】
また、本発明は、上記発明において、前記記録媒体保持手段に保持される前記記録媒体の排出の指示を受け付ける排出指示手段と、前記排出指示手段により前記排出の指示が受け付けられると、該排出の対象である前記記録媒体を排出する排出手段とを更に備え、前記有価価値移行手段は、前記排出指示手段が前記排出指示を受け付けると、前記記録媒体保持手段に保持される前記複数の記録媒体のうち前記排出指示の対象である前記記録媒体に価値付けられている前記有価価値を、前記排出指示の対象とは異なる前記記録媒体に合算して価値付けることを特徴とする。
【００１２】
また、本発明は、上記発明において、前記記録媒体は、前記有価価値のみが価値付けられた有価価値記録媒体と、前記有価価値が価値付けられ更に遊技者属性情報が記録される遊技者属性記録媒体とを含み、前記有価価値移行手段は、前記記録媒体が前記遊技者属性記録媒体である場合に、前記有価価値の前記移行価値付けを行わないことを特徴とする。
【００１３】
また、本発明は、上記発明において、前記記録媒体保持手段に保持される複数の前記記録媒体の数が所定範囲を超えたことを報知する報知手段を更に備えたことを特徴とする。
【００１４】
また、本発明は、記録媒体挿入口から挿入された記録媒体に価値付けられた有価価値に応じて遊技媒体の貸し出し処理を行う遊技媒体貸出装置における遊技価値移行方法において、前記遊技媒体貸出装置内に保持される複数の前記記録媒体それぞれに価値付けられた前記有価価値を合算し、合算された前記有価価値を前記複数の記録媒体のうちの一つに移行させて価値付ける有価価値移行工程を含んだことを特徴とする。
【発明の効果】
【００１５】
本発明によれば、記録媒体保持手段に同時に保持される複数の記録媒体それぞれに価値付けられた有価価値を合算し、複数の記録媒体のうちの一つに移行させて価値付ける有価価値移行手段を備えたので、複数の記録媒体にそれぞれ価値付けられた有価価値を１つの記録媒体にまとめて価値付けることができ、複数の記録媒体を所持する必要が無くなり、記録媒体及び遊技媒体貸出装置の利用の便が向上する。
【００１６】
また、本発明によれば、既に挿入されている記録媒体に価値付けられている有価価値を、追加挿入された記録媒体に合算して価値付けることができるので、遊技者は、追加挿入された記録媒体に価値付けられた有価価値のみを意識すればよいこととなり、複数の記録媒体を所持する必要が無くなり、遊技媒体貸出装置の利用の便が向上する。
【００１７】
また、本発明によれば、有価価値移行手段は、排出指示手段が排出指示を受け付けると、複数の記録媒体のうちの排出指示の対象である記録媒体に価値付けられている有価価値を、排出指示の対象とは異なる記録媒体に合算して価値付けるので、遊技媒体貸出装置内に複数の記録媒体が存在する場合には、価値付けられた有価価値の残度数を常に０として記録媒体を排出することができ、記録媒体の回収業務を効率よく行うことができる。
【００１８】
また、本発明によれば、有価価値移行手段は、記録媒体が遊技者属性記録媒体である場合に、有価価値の移行価値付けを行わないので、遊技者属性記録媒体が回収され遊技者に返却されなくなってしまうというトラブルを防止することができる。
【００１９】
また、本発明によれば、記録媒体保持手段に保持される複数の記録媒体の数が所定数以上又は所定数以下となったことを遊技者や係員に報知することができる。
【発明を実施するための最良の形態】
【００２０】
以下に添付図面を参照して、本発明に係る遊技媒体貸出装置及び遊技媒体貸出装置における遊技価値移行方法の好適な実施の形態を詳細に説明する。なお、以下に示す実施例では、本発明をパチンコ遊技機の台間に配設される遊技球貸出機であるカードユニット（ＣＲユニット）に適用した場合を説明するが、本発明はこれに限定されるものではなく、パチスロ遊技機の台間に配設されるメダル貸出機に適用することもできる。
【００２１】
また、以下に示す実施例では、カードユニットに挿入されるカードは、金額の前払いにより遊技球の貸し出し可能回数のみが価値付けられた磁気カードであるとするが、これに限定されるものではなく、集積回路を搭載したカード、例えば、ＩＣカードなどであってもよい。なお、金額の前払いにより遊技球の貸し出し可能回数のみが価値付けられたカードをプリペイドカードという。また、カードに価値付けられた遊技球の貸し出し可能回数を「残度数」という。以下、カードユニットに挿入されるカードを、単に「カード」と言う。
【実施例１】
【００２２】
図１は、本発明の第１の実施例に係る遊技媒体貸出装置における遊技価値移行方法の概略を説明するための説明図である。実施例１は、既に１枚のカードがカードユニット１００に挿入されている状態で、更にもう１枚のカードが追加挿入される場合に、先に挿入されていたカードの残度数が、追加挿入されたカードの残度数へ移行される実施例である。この実施例１は、複数のカードを所持する遊技者のカード利用の便の向上を図ることを目的とする。図１（１）は、遊技媒体貸出装置における遊技価値移行前の状態説明図であり、図１（２）は、遊技媒体貸出装置における遊技価値移行後の状態説明図である。
【００２３】
図１（１）が示す状態では、カードユニット１００に１枚のカードＡが挿入されている。このカードＡには、当該カードをユニークに識別するカード識別子（カードＩＤ）が予め記憶されている。他方で、Ｔ／Ｃ（Terminal Controller）４００を構成するＤＢ（Data Base）４０３に格納される残度数テーブル４０３ｔにおいて、ユニークなカードＩＤに残度数が対応付けられている。よって、カードＡに対して残度数が価値付けられていることになる。具体的には、残度数テーブル４０３ｔにおいて、カードＩＤが「Ａ０００１」には、残度数「４０」が対応付けられている。よってカードＡに残度数「４０」が価値付けられていることになる。
【００２４】
図（１）において、先ず、カードＡのカードＩＤである「Ａ０００１」が、カードユニット１００に読み取られて、Ｔ／Ｃ４００へ送信される。続いてＴ／Ｃ４００では、この「Ａ０００１」を検索キーとしてＤＢ４０３に格納される残度数テーブル４０３ｔが検索される。続いて「Ａ０００１」に対応付けられた残度数「４０」が読み出されてカードユニット１００へ送信される。続いてカードユニット１００を経由して、遊技機２００の表示部２０２に残度数「４０」が表示されることになる。
【００２５】
図１（２）が示す状態では、カードユニット１００に既に挿入されているカードＡに加えてカードＢが追加挿入されている。このカードＢにも、カードＡ同様に、当該カードをユニークに識別するカード識別子が予め記憶されている。他方で、Ｔ／Ｃ４００を構成するＤＢ４０３に格納される残度数テーブル４０３ｔにおいて、カード識別子が「Ａ０００１」に対応付けられていた残度数「４０」がカード識別子「Ａ０００２」に対応付けられていた残度数「５０」に残度数移行された結果、「０」となっている。そして、カード識別子「Ａ０００２」に対応付けられていた残度数「５０」は「９０」になっている。この残度数「９０」がカードユニット１００に送信され、最終的に遊技機２００の表示部２０２に表示されることになる。
【００２６】
次に、図１に示したカードユニット１００及びＴ／Ｃ４００を含む遊技媒体貸出システムの構成を説明する。図２は、図１に示した遊技媒体貸出装置が接続される遊技媒体貸出システムのシステム構成例を示す図である。同図に示すように、Ｔ／Ｃ４００には、複数の島コントローラ３００が接続される。そして、各島コントローラ３００には、複数のカードユニット１００が接続される。島コントローラ３００は、周囲を通路に囲まれたスペース（島）に設けられた一群のカードユニット１００及び遊技機２００などの装置を束ねる装置である。
【００２７】
同図に示すように、遊技媒体貸出システムにおけるカードユニット１００とＴ／Ｃ４００との間で情報が送受信される手順は、次の通りである。即ち、（１）カードＩＤが付与され記憶されているカードがカード挿入口からカードユニット１００へ挿入される。（２）カードユニット１００は、挿入されたカードからカードＩＤを読み出し、島コントローラ３００を経由してＴ／Ｃ４００へ送信する。（３）カードＩＤに対応付けられているカード残度数を更新する。（４）更新されたカード残度数を、Ｔ／Ｃ４００からカードユニット１００へ送信する。このカード残度数が、最終的に、遊技機２００に表示されることとなる。
【００２８】
次に、図１に示したカードユニット１００の構成について説明する。図３は、図１に示したカードユニット１００及びカードユニット１００の横に配設される遊技機２００の外観を示す正面図である。図４は、カードユニット２００の内部構成の概略を示す図である。図５は、カードユニット２００の内部構成を示す機能ブロック図である。
【００２９】
カードユニット１００は、外見上縦長に構成されたもので、その前面パネルに、報知ランプ１０５ａと、カード挿入口１１０と、返却スイッチ１０４ａと、回収スイッチ１０４ｂとを有している。
【００３０】
報知ランプ１０５ａは、後述するランプ制御部１０５からの制御信号に基づいて点灯し、カードの挿入可能状態及び挿入不可能状態、カードユニット１００で発生した各種のエラーなどを遊技者や係員に報知するためのものである。
【００３１】
カード挿入口１１０は、カードを受け入れてカードユニット１００の内部のカード搬送路に取り込むための開口である。カード搬送路は、カード挿入検知部１０２ａと、カードリーダ１０２ｂと、カード搬送ガイド部１０３とから構成される。このカード搬送路は、カード挿入口１１０から挿入されたカードを、後述するカード貯留部１０７へ搬送する部分である。
【００３２】
返却スイッチ１０４ａは、カード搬送路に存在するカードをカード挿入口１１０から遊技者に返却するための指示を受け付けるスイッチである。返却スイッチ１０４ａが返却指示を受け付けると、後述の操作制御部１０４に対して該受け付けを示す信号を出力する。この信号を検知した主制御部１０１は、後述のカード搬送ガイド部１０３を駆動して、カード搬送路に存在するカードを逆送りしてカード挿入口１１０から遊技者に対して返却する。
【００３３】
回収スイッチ１０４ｂは、後述するカード貯留部１０７に存在するカードを遊技店が回収するための指示を受け付けるスイッチである。回収スイッチ１０４ｂが回収指示を受け付けると、後述の操作制御部１０４に対して該受け付けを示す信号を出力する。この信号を検知した主制御部１０４は、後述のカード搬送ガイド部１０３を駆動して、カード貯留部１０７に存在するカードを逆送りしてカード挿入口１１０から遊技店に回収させる。
【００３４】
遊技機２００は、上皿の正面に、貸し出しスイッチ２０１と表示部２０２とを有している。貸し出しスイッチ２０１は、遊技者による遊技球の貸し出し要求を受け付ける。該操作受け付けはカードユニット１００に送信され、カードユニットから遊技球の貸し出し指令を受信する。例えば、１回の操作受け付けによりカードの残度数１に対応する２５球の遊技球が貸し出される。残度数１に対応する遊技球が貸し出されると、残度数１が減算される。
【００３５】
表示部２０２は、カードに価値付けられている残度数を表示するためのものである。カードユニット１００がＴ／Ｃ４００から受信した、当該カードに価値付けられている残度数を表示する。カードユニット１００は、Ｔ／Ｃ４００から残度数を受信すると、この残度数を表示させるための信号を、遊技機２００へ出力する。
【００３６】
更に、遊技機２００は、その正面下部の右方に、遊技機２００の遊技盤へ向けて遊技球を発射する操作を受け付ける発射ハンドル２０３を有する。遊技者により発射ハンドルが時計回りに回転操作されることにより、その回転量に応じた初速度で、遊技球が発射される。
【００３７】
図４に図示するように、カードユニット１００は、カード挿入口１１０付近の内部に、カード搬送路を構成するカード挿入検知部１０２ａと、カードリーダ１０２ｂと、カード搬送ガイド部１０３とを有する。更に、カード搬送路に関してカード挿入口１１０の反対側の位置には、カード貯留部１０７を有する。カードユニット１００は、カード挿入口１１０から挿入されたカードが、カード搬送ガイド部１０３によりカード搬送路を経由してカード貯留部１０７へ搬送され貯留されることにより、複数のカードを同時に保持することができる。
【００３８】
カードユニット１００がカード貯留部１０７を有することにより、カードユニット１００に複数のカードを挿入することができる。カード貯留部１０７には、１枚のカードを貯留可能とするが、これに限られず、複数のカードが貯留されることとしてもよい。
【００３９】
カード挿入検知部１０２ａは、カード搬送路において付近を通過したカードを検知する光センサである。このカード挿入検知部１０２ａは、カードユニット１００の内部におけるカード挿入口１１０の近傍で、カード搬送路を通過するカードを検知可能な位置に配置されている。
【００４０】
カードリーダ１０２ｂは、カード搬送路上のカードリーダ１０２ｂ付近の所定位置にあるカードから、該カードに記録されている情報を読み取るための装置である。このカードリーダ１０２ｂは、カード挿入検知部１０２ａとカード貯留部１０７との間に配置される。カードに記録されている記録情報を読み出し可能なカードリーダ１０２ｂの近接位置を、読み取り可能位置という。カードは、読み取り可能位置にあるときに、カードリーダ１０２ｂによって記録情報を読み出されることとなる。
【００４１】
カード搬送ガイド部１０３は、カード搬送路のカード挿入口１１０からカード貯留部１０７への方向へカードを順送りし、逆方向へカードを逆送りするための図示しないローラを内蔵している。また、このカード搬送ガイド部１０３は、カード搬送路においてカードが移動する経路を形成するものである。
【００４２】
図５に図示するように、カードユニット１００は、主制御部１０１と、カード挿入検知部１０２ａと、カードリーダ１０２ｂと、カード搬送ガイド部１０３と、操作制御部１０４と、ランプ制御部１０５と、通信Ｉ／Ｆ部１０６とを有する。そして、操作制御部１０４には、返却スイッチ１０４ａと、回収スイッチ１０４ｂとが接続されており、ランプ制御部１０５には、報知ランプ１０５ａが接続されている。
【００４３】
主制御部１０１は、カードユニット１００の全体制御を行う、ＣＰＵ、ＲＯＭ及びＲＡＭから構成される制御部である。具体的には、カード挿入検知部１０２ａ、カードリーダ１０２ｂ及び操作制御部１０４からの入力信号を受け付ける。また、カード搬送ガイド部１０３及びランプ制御部１０５へ、これらを制御する制御信号を出力する。また、遊技機２００及び島コントローラ３００との通信を行うために、通信Ｉ／Ｆ部１０６と信号の送受信を行うことになる。
【００４４】
カード挿入検知部１０２ａは、カードがカード挿入口１１０から挿入されたことを検知する光センサである。カード挿入検知部１０２ａは、ＬＥＤからなる発光部と受光部とからなり、カードがカード挿入口１１０から挿入されると、発光部から受光部へ至る光が遮断されて受光部の受光が不能となることにより、該カードの挿入が検知されるものである。
【００４５】
カードリーダ１０２ｂは、カードユニット１００に挿入されたカードに記録される磁気情報を読み取る読取装置である。カードユニット１００に挿入されたカードが読み取り可能位置にまで至ると、該カードリーダ１０２ｂは、カードに記録される情報を読み取って主制御部１０１へ出力するものである。
【００４６】
カード搬送ガイド部１０３は、カード挿入検知部１０２ａがカードの挿入検知を主制御回部１０１へ通知したことに応じた主制御部１０１からの指示を受けて、該カードを読み取り可能位置まで移動させる。また、カードが読み取り可能位置にあるときに、更にカードが追加挿入されたことがカード挿入検知部１０２ａにより検知されると、該検知以前に読み取り可能位置にあったカードをカード貯留部１０７へ移動させ、追加挿入されたカードを読み取り可能位置まで移動させる。
【００４７】
操作制御部１０４は、主制御部１０１の制御信号に基づき、返却スイッチ１０４ａ及び回収スイッチ１０４ｂからのスイッチ押下検知の信号を受け付ける。返却スイッチ１０４ａは、該スイッチが遊技者に押下されたことを検知すると、該検知を操作制御部１０４へ通知するものである。回収スイッチ１０４ｂは、該スイッチが遊技者に押下されたことを検知すると、該検知を操作制御部１０４へ通知するものである。
【００４８】
ランプ制御部１０５は、主制御部１０１の制御信号に基づき、報知ランプ１０５ａの点灯制御を行う。主制御部１０１からの制御信号の種別に応じて、報知ランプ１０５ａを制御して、各種点灯態様で、カードの挿入可能状態及び挿入不可能状態、カードユニット１００で発生した各種のエラーなどを遊技店の従業員に報知することになる。
【００４９】
次に、図１に示したＴ／Ｃ４００の構成について説明する。図６は、図１に示したＴ／Ｃ４００の構成を示す機能ブロック図である。同図に示すように、このＴ／Ｃ４００は、主制御部４０１と、入力部４０２ａと、出力部４０２ｂと、ＤＢ４０３と、通信Ｉ／Ｆ部４０４とを有する。
【００５０】
主制御部４０１は、このＴ／Ｃ４００の全体制御を行うが、特に実施例１では、残度数提供部４０１ａと、残度数更新部４０１ｂとを含んでなる。なお、島コントローラ３００との通信を行うために、通信Ｉ／Ｆ部４０４と信号の送受信を行うことになる。
【００５１】
残度数提供部４０１ａは、カードユニット１００から中継装置２００を経由して送信されてきたカードＩＤをＤＢ４０３へ送信し、ＤＢ４０３から送信されてきた該カードＩＤに対応付けられたカードの残度数を受信し、更にカードユニット１００へ向けて通信Ｉ／Ｆ部４０４を介して送信する役割を負う。このカードユニット１００へ向けて送信された残度数は、最終的に、遊技機２００の表示部２０２に表示されることとなる。
【００５２】
残度数更新部４０１ｂは、カードユニット１００から中継装置２００を経由して送信されてきた複数のカードＩＤをＤＢ４０３へ送信し、更に該複数のカードＩＤに対応付けられた残度数を移行する指令を送信する。該指令を受け、ＤＢ４０３で移行して合算された残度数が、残度数更新部４０１ｂへ送信される。この残度数更新部４０１ｂへ送信された残度数は、更にカードユニット１００へ向けて通信Ｉ／Ｆ部４０４を介して送信され、最終的に、遊技機２００の表示部２０２に表示されることとなる。
【００５３】
入力部４０２ａは、キーボードやマウスなどの入力デバイスである。出力部４０２ｂは、ディスプレイやスピーカなどの出力デバイスである。Ｔ／Ｃ４００の操作者は、ユーザはこれらのデバイスを介してＴ／Ｃ４００の操作を行う。
【００５４】
ＤＢ４０３は、ユニークなカードＩＤに残度数を対応付けて記憶する残度数テーブル４０３ｔを格納する記憶デバイスである。記憶デバイスは、例えば磁気的に情報を記憶するストレージデバイスである。
【００５５】
残度数テーブル４０３ｔは、少なくともカードＩＤと残度数のカラムを有し、ユニークなカードＩＤにそれぞれ残度数が対応付けられている。レコード単位で、１枚のカードに相当するカードＩＤ及びその残度数が対応付けられて記憶されている。
【００５６】
次に、図１に示したカードユニット１００で実行される、実施例１のカード挿入検知時の処理手順について説明する。図７は、図１に示したカードユニット１００で実行されるカード挿入検知時処理の処理手順を示すフローチャートである。同図に示すように、先ずカードユニット１００は、カード挿入検知部１０２ａがカードの挿入を検知したか否かの判定処理を行うことになる（ステップＳ１０１）。
【００５７】
その結果、カード挿入を検知した場合には（ステップＳ１０１肯定）、続いてカードの追加挿入であるか否かの判定処理を行う（ステップＳ１０２）。一方で、カード挿入を検知しなかった場合には（ステップＳ１０１否定）、ステップＳ１０１を繰返すこととなる。
【００５８】
その後、カードの追加挿入であると判定された場合には（ステップＳ１０２肯定）、カード読み取り位置にある、先に挿入されている「先挿入カード」のカードＩＤを読み取って主制御部１０１のＲＡＭに一時記憶する。続いて、カード読み取り位置にある先挿入カードをカード貯留部１０７へ移動させるとともに、追加して挿入された「追加挿入カード」をカード読み取り位置まで移動させる（ステップＳ１０４）。続いて、カード読み取り位置にある追加挿入カードのカードＩＤを読み取る（ステップＳ１０５）。
【００５９】
次に、先挿入カードのカードＩＤ及び追加挿入カードのカードＩＤをＴ／Ｃ４００へ送信する（ステップＳ１０６）。これらのカードＩＤの受信側のＴ／Ｃ４００では、カード追加挿入時処理が実行される。最初に、カードユニット１００からカードＩＤ受信したか否かの判定処理を行う（ステップＳ２０１）。ステップＳ１０６において、カードユニット１００からＴ／Ｃ４００へ送信されたカードＩＤが受信されたならば、ステップＳ２０１の判定は肯定となり、続いて先挿入カードのカード残度数を追加挿入カードの残度数へ移行する（ステップＳ２０２）。その後、移行して合算された残度数をカードユニット１００へ送信する（ステップＳ２０３）。
【００６０】
このように、先挿入カードが既に挿入されている状態で追加挿入カードが挿入されると、先挿入カードのカードＩＤを一時記憶した上で追加挿入カードのカードＩＤを読み出すので、後にこれらの２つのカードＩＤを一度にＴ／Ｃ４００へ送信することができる。よって、カード残度数の移行元である先挿入カードと、カード残度数の移行先である追加挿入カードを共に特定して、Ｔ／Ｃ４００に対して効率的にカード残度数の移行を行うよう指示することができる。
【００６１】
次に、Ｔ／Ｃ４００からカード残度数を送信されるカードユニット１００側では、Ｔ／Ｃ４００から残度数を受信したか否かを判定する（ステップＳ１０７）。ステップＳ２０３において、Ｔ／Ｃ４００からカードユニット１００へ送信されたカードの残度数が既に受信されたならば、ステップＳ１０７の判定は肯定となり、続いて受信した残度数の表示を遊技機２００へ指示する（ステップＳ１０９）。該指示を受けた遊技機１００は、その表示部２０２に当該残度数を表示することになる。
【００６２】
なお、ステップＳ１０２でカードの追加挿入と判定されなかったとき（ステップＳ１０２否定）には、カードＩＤを読み取って該カードに価値付けられた有価価値（残度数）をＴ／Ｃへ問い合わせて取得する（通常の残度数取得処理、ステップＳ１０８）。この処理が終了するとステップＳ１０９へ処理を移し、該取得された残度数の表示が遊技機２００へ指示される（ステップＳ１０９）。該指示を受けた遊技機１００は、その表示部２０２に当該残度数を表示することになる。
【００６３】
このように、カードユニット１００の内部に先挿入カードが挿入されている状態で、更にカードが追加挿入される場合に、残度数を１枚のカードにまとめて価値付けしなおされるので、遊技者は、複数のカードを所持する手間から開放される。
【実施例２】
【００６４】
図８は、本発明の第２の実施例に係る遊技媒体貸出装置における遊技価値移行方法の概略を説明するための説明図である。実施例２は、既に２枚のカードがカードユニット１００に挿入されている状態で、回収スイッチ１０４Ｂが押下操作された場合に、後に挿入されたカードの残度数が、先に挿入されていたカードの残度数へ移行され、後に挿入されたカードがカードユニット１００外へ排出され遊技店に回収される実施例である。この実施例２は、カードユニット２００に貯留される残度数が０のカードを遊技店が回収する回収効率の向上を図ることを目的とする。図８（１）は、遊技媒体貸出装置における遊技価値移行前の状態説明図であり、図８（２）は、遊技媒体貸出装置における遊技価値移行後の状態説明図である。
【００６５】
図８（１）が示す状態では、カードユニット１００に２枚のカードＡ及びカードＢが挿入されている。このカードＡ及びカードＢには、これらカードをユニークに識別するカード識別子がそれぞれ記憶されている。他方で、Ｔ／Ｃ４００を構成するＤＢ４０３に格納される残度数テーブル４０３ｔにおいて、ユニークなカードＩＤに残度数が対応付けられている。よって、カードＡ及びカードＢに対して残度数が価値付けられていることになる。具体的には、残度数テーブル４０３ｔにおいて、カードＩＤが「Ａ０００１」には、残度数「４０」が、「Ａ０００２」には、残度数「５０」が対応付けられている。よってカードＡに残度数「４０」が、カードＢに残度数「５０」が価値付けられていることになる。
【００６６】
図８（１）において、先ず、カードＡのカードＩＤである「Ａ０００１」及びカードＢのカードＩＤである「Ａ０００２」がカードユニット１００に読み取られて、Ｔ／Ｃ４００へ送信される。続いてＴ／Ｃ４００では、この「Ａ０００１」及び「Ａ０００２」を検索キーとしてＤＢ４０３に格納される残度数テーブル４０３ｔが検索される。続いて「Ａ０００１」に対応付けられた残度数「４０」、及び「Ａ０００２」に対応付けられた残度数「５０」が読み出されて合算された後カードユニット１００へ送信される。続いてカードユニット１００を経由して、遊技機２００の表示部２０２に合算された残度数「９０」（＝「４０」＋「５０」）が表示される。
【００６７】
図８（２）が示す状態では、カードユニット１００に挿入されているカードＡ及びカードＢのうち、カードＢが回収されている。他方で、Ｔ／Ｃ４００を構成するＤＢ４０３に格納される残度数テーブル４０３ｔにおいて、カード識別子が「Ａ０００２」に対応付けられていた残度数「５０」がカード識別子「Ａ０００１」に対応付けられていた残度数「４０」に残度数移行された結果、「０」となっている。そして、カード識別子「Ａ０００１」に対応付けられていた残度数「４０」は「９０」になっている。この残度数「９０」がカードユニット１００に送信され、最終的に遊技機２００の表示部２０２に表示されることになる。
【００６８】
図８に示した実施例２を実施するために必要な遊技媒体貸出システムの構成、カードユニット１００の構成及びＴ／Ｃ４００の構成は、実施例２では図７に示した実施例１のカード挿入検知時の処理手順は実行されず、図９に示す実施例２のカード回収スイッチ押下検知時処理が実行される以外は、実施例１と同一である。
【００６９】
次に、図８に示したカードユニット１００で実行される、実施例２のカード回収スイッチ押下検知時の処理手順について説明する。図９は、図８に示したカードユニット１００で実行されるカード挿入検知時処理の処理手順を示すフローチャートである。同図に示すように、先ずカードユニット１００は、カード回収スイッチ１０４ｂが押下されたことを検知したか否かの判定処理を行うことになる（ステップＳ１１１）。
【００７０】
その結果、カード挿入を検知した場合には（ステップＳ１１１肯定）、続いてカード読み取り位置に追加挿入カードがあるか否かの判定処理を行う（ステップＳ１１２）。一方で、カード回収スイッチ１０４ｂの押下検知がなかった場合には（ステップＳ１１１否定）、ステップＳ１１１を繰返すこととなる。
【００７１】
その後、カード読み取り位置に追加挿入カードがあると判定された場合には（ステップＳ１１２肯定）、カード読み取り位置にある先挿入カードのカードＩＤを読み取って主制御部１０１のＲＡＭに一時記憶する。なお、カード読み取り位置に追加挿入カードがあると判定されなかった場合には（ステップＳ１１２否定）、カード回収スイッチ押下検知時処理は終了する。続いて、カード読み取り位置にある追加挿入カードをカードユニット１００の外部へ排出するとともに、カード貯留部１０７に貯留される追加挿入カードをカード読み取り位置まで移動させる（ステップＳ１１４）。続いて、カード読み取り位置にある追加挿入カードのカードＩＤを読み取る（ステップＳ１１５）。
【００７２】
次に、先挿入カードのカードＩＤ及び追加挿入カードのカードＩＤをＴ／Ｃ４００へ送信する（ステップＳ１１６）。これらのカードＩＤの受信側のＴ／Ｃ４００では、カード回収時処理が実行される。最初に、カードユニット１００からカードＩＤ受信したか否かの判定処理を行う（ステップＳ２１１）。ステップＳ１１６において、カードユニット１００からＴ／Ｃ４００へ送信されたカードＩＤが受信されたならば、ステップＳ２１１の判定は肯定となり、続いて追加挿入カードのカード残度数を先挿入カードの残度数へ移行する（ステップＳ２１２）。その後、移行して合算された残度数をカードユニット１００へ送信する（ステップＳ２１３）。
【００７３】
このように、１枚の先挿入カードが貯留部１０７に貯留されかつもう１枚の追加挿入カードがカード読み取り位置にある状態で、回収スイッチ１０４ｂが押下されると、先挿入カードのカードＩＤを一時記憶した上で追加挿入カードのカードＩＤを読み出すので、後にこれらの２つのカードＩＤを一度にＴ／Ｃ４００へ送信することができる。よって、カード残度数の移行元である追加挿入カードと、カード残度数の移行先である先挿入カードを共に特定して、Ｔ／Ｃ４００に対して効率的にカード残度数の移行を行うよう指示することができる。
【００７４】
次に、Ｔ／Ｃ４００からカード残度数を送信されるカードユニット１００側では、Ｔ／Ｃ４００から残度数を受信したか否かを判定する（ステップＳ１１７）。ステップＳ２１３において、Ｔ／Ｃ４００からカードユニット１００へ送信されたカードの残度数が既に受信されたならば、ステップＳ１１７の判定は肯定となり、続いて受信した残度数の表示を遊技機２００へ指示する（ステップＳ１１８）。該指示を受けた遊技機１００は、その表示部２０２に当該残度数を表示することになる。
【００７５】
このように、カードユニット１００の内部に、何れも残度数が０でない複数のカードが挿入されている場合であっても、カード回収スイッチ１０４ｂを押下することにより、残度数を１枚のカードにまとめて価値付けしなおされるので、遊技者は、複数のカードを所持する手間から開放され、遊技店は、記録媒体としてのカード本体の回収が促進されることによりカード発行のコストダウンを図ることができる。
【実施例３】
【００７６】
実施例１が、カードが追加挿入される都度カード残度数が移行させられるものであるのに対し、実施例３は、追加挿入カードを連続して挿入して、該挿入作業が終了した場合に一括してカード残高の移行を行う実施例である。この実施例３は、複数のカードを所持する遊技者のカード利用の便の向上を、より効率的に達成することを目的とする。実施例３を実施するために必要な遊技媒体貸出システムの構成、カードユニット１００の構成及びＴ／Ｃ４００の構成は、実施例３では図７に示した実施例１のカード挿入検知時の処理手順は実行されず、図１０に示す実施例３のカード挿入検知時処理が実行される以外は、実施例１と同一である。
【００７７】
図１に示したカードユニット１００で実行される、実施例３のカード挿入検知時の処理手順について説明する。図１０は、図１に示したカードユニット１００で実行されるカード挿入検知時処理の処理手順を示すフローチャートである。同図に示すように、先ずカードユニット１００は、カード挿入検知部１０２ａがカードの挿入を検知したか否かの判定処理を行うことになる（ステップＳ１２１）。
【００７８】
その結果、カード挿入を検知した場合には（ステップＳ１２１肯定）、続いてカードの追加挿入であるか否かの判定処理を行う（ステップＳ１２２）。一方で、カード挿入を検知しなかった場合には（ステップＳ１２１否定）、ステップＳ１２１を繰返すこととなる。
【００７９】
その後、カードの追加挿入であると判定された場合には（ステップＳ１２２肯定）、カード読み取り位置にある、先挿入カードのカードＩＤを読み取って主制御部１０１のＲＡＭに一時記憶する。続いて、カード読み取り位置にあるカードをカード貯留部１０７へ移動させるとともに、追加挿入カードをカード読み取り位置まで移動させる（ステップＳ１２４）。続いて、カード読み取り位置にあるカードのカードＩＤを読み取る（ステップＳ１２５）。
【００８０】
次に、カード追加挿入が終了か否かを判定する（ステップＳ１２６）。具体的には、一定時間カードの追加挿入が検知されなかったか否かを判定する。なお、カードの追加挿入の終了の検知は、これに限らず、カードユニット１００にカード追加挿入の終了を遊技者の操作により検知するスイッチを設けて検知するものであってもよい。
【００８１】
次に、カード追加挿入が終了の場合に（ステップＳ１２６肯定）、主制御部１０１のＲＯＭに一時記憶されているすべてのカードＩＤをＴ／Ｃ４００へ送信する（ステップＳ１２７）。これらのカードＩＤの受信側のＴ／Ｃ４００では、カード追加挿入時処理が実行される。最初に、カードユニット１００からカードＩＤ受信したか否かの判定処理を行う（ステップＳ２２１）。ステップＳ１２７において、カードユニット１００からＴ／Ｃ４００へ送信されたカードＩＤが受信されたならば、ステップＳ２２１の判定は肯定となり、続いて全てのカードのカード残度数を最後に追加挿入されたカードの残度数へ移行する（ステップＳ２２２）。その後、移行して合算された残度数をカードユニット１００へ送信する（ステップＳ２２３）。
【００８２】
なお、カード追加挿入が終了でない場合は（ステップＳ１２６否定）、ステップＳ１２４へ処理を移す。ステップＳ１２４からステップＳ１２６の処理が繰り返されることにより、順次追加挿入カードが挿入され、その都度カードＩＤがＲＡＭに記憶されることになる。
【００８３】
このように、先挿入カードが既に挿入されている状態で連続して複数の追加挿入カードが挿入されると、全てのカードのカードＩＤを一時記憶した上で追加挿入カードのカードＩＤを読み出すので、最後にこれらの全てのカードＩＤを一度にＴ／Ｃ４００へ送信することができる。よって、カード残度数の移行元であるカードと、カード残度数の移行先である最後の追加挿入カードを全て特定して、Ｔ／Ｃ４００に対して効率的にカード残度数の移行を行うよう指示することができる。
【００８４】
次に、Ｔ／Ｃ４００からカード残度数を送信されるカードユニット１００側では、Ｔ／Ｃ４００から残度数を受信したか否かを判定する（ステップＳ１２８）。ステップＳ２２３において、Ｔ／Ｃ４００からカードユニット１００へ送信されたカードの残度数が既に受信されたならば、ステップＳ１２８の判定は肯定となり、続いて受信した残度数の表示を遊技機２００へ指示する（ステップＳ１３０）。該指示を受けた遊技機１００は、その表示部２０２に当該残度数を表示することになる。
【００８５】
なお、ステップＳ１２２でカードの追加挿入と判定されなかったとき（ステップＳ１２２否定）には、カードＩＤを読み取って該カードに価値付けられた有価価値（残度数）をＴ／Ｃへ問い合わせて取得する（通常の残度数取得処理、ステップＳ１２９）。この処理が終了するとステップＳ１３０へ処理を移し、該取得された残度数の表示が遊技機２００へ指示される（ステップＳ１３０）。該指示を受けた遊技機１００は、その表示部２０２に当該残度数を表示することになる。
【００８６】
このように、カードユニット１００の内部に先挿入カードが挿入されている状態で、更に複数のカードが追加挿入される場合に、該追加挿入される複数のカードを全て挿入し終わった後で一括して残度数を１枚のカードにまとめて価値付けしなおされ、残度数移行されるので、この残度数移行処理を効率的に行うことができる。また、遊技者は、複数のカードを所持する手間から開放される。
【実施例４】
【００８７】
実施例２が、カード回収スイッチが押下される都度カード残度数が移行させられるものであるのに対し、実施例４は、回収対象のカードを連続して回収して、該回収作業が終了した場合に一括してカード残高の移行を行う実施例である。この実施例４は、カードユニット２００に貯留される残度数が０のカードを遊技店が回収する回収効率の向上を、より効率的に達成することを目的とする。実施例４を実施するために必要な遊技媒体貸出システムの構成、カードユニット１００の構成及びＴ／Ｃ４００の構成は、実施例２では図９に示した実施例２のカード挿入検知時の処理手順は実行されず、図１１に示す実施例４のカード挿入検知時処理が実行される以外は、実施例２と同一である。
【００８８】
図８に示したカードユニット１００で実行される、実施例４のカード回収スイッチ押下検知時の処理手順について説明する。図１１は、図８に示したカードユニット１００で実行されるカード挿入検知時処理の処理手順を示すフローチャートである。同図に示すように、先ずカードユニット１００は、カード回収スイッチ１０４ｂが押下されたことを検知したか否かの判定処理を行うことになる（ステップＳ１３１）。
【００８９】
その結果、カード挿入を検知した場合には（ステップＳ１３１肯定）、続いてカード読み取り位置に追加挿入カードがあるか否かの判定処理を行う（ステップＳ１３２）。一方で、カード回収スイッチ１０４ｂの押下検知がなかった場合には（ステップＳ１３１否定）、ステップＳ１３１を繰返すこととなる。
【００９０】
その後、カード読み取り位置に追加挿入カードがあると判定された場合には（ステップＳ１３２肯定）、カード読み取り位置にあるカードのカードＩＤを読み取って主制御部１０１のＲＡＭに一時記憶する。なお、カード読み取り位置にカードがあると判定されなかった場合には（ステップＳ１３２否定）、カード回収スイッチ押下検知時処理は終了する。続いて、カード読み取り位置にあるカードをカードユニット１００の外部へ排出するとともに、カード貯留部１０７に貯留されるカードをカード読み取り位置まで移動させる（ステップＳ１３４）。続いて、カード読み取り位置にあるカードのカードＩＤを読み取る（ステップＳ１３５）。
【００９１】
次に、カード回収が終了か否かを判定する（ステップＳ１３６）。具体的には、一定時間カード回収スイッチ１０４ｂの押下が検知されなかったか否かを判定する。なお、カードの回収の終了の検知はこれに限らず、カードユニット１００にカード回収の終了を遊技者の操作により検知するスイッチを設けて検知するものであってもよい。
【００９２】
次に、カード回収が終了の場合に（ステップＳ１３６肯定）、主制御部１０１のＲＯＭに一時記憶されているすべてのカードＩＤをＴ／Ｃ４００へ送信する（ステップＳ１３７）。これらのカードＩＤの受信側のＴ／Ｃ４００では、カード追加挿入時処理が実行される。最初に、カードユニット１００からカードＩＤ受信したか否かの判定処理を行う（ステップＳ２３１）。ステップＳ１３７において、カードユニット１００からＴ／Ｃ４００へ送信されたカードＩＤが受信されたならば、ステップＳ２３１の判定は肯定となり、続いて全てのカードのカード残度数を、最後にカードＩＤを読み取られたカードの残度数へ移行する（ステップＳ２３２）。ここで、「最後にカードＩＤを読み取られたカード」とは、カード回収が終了と判定される直前にカードＩＤを読み取られたカードのことである。その後、移行して合算された残度数をカードユニット１００へ送信する（ステップＳ２３３）。
【００９３】
なお、カード回収が終了でない場合は（ステップＳ１３６否定）、ステップＳ１３４へ処理を移す。ステップＳ１３４からステップＳ１３６の処理が繰り返されることにより、順次カードがカードユニット１００の外部へ排出されることにより回収され、その都度カードＩＤがＲＡＭに記憶されることになる。
【００９４】
このように、少なくとも１枚の先挿入カードが貯留部１０７に貯留されかつもう１枚の追加挿入カードがカード読み取り位置にある状態で、回収スイッチ１０４ｂが押下されると、カード読み取り位置にあるカードのカードＩＤを一時記憶した上で、カード貯留部１０７からカード読み取り位置へ移動させられたカードのカードＩＤを読み出すので、後にこれらの２つのカードＩＤを一度にＴ／Ｃ４００へ送信することができる。よって、カード残度数の移行元である全てのカードと、カード残度数の移行先である、最後にカードＩＤを読み取られたカードを全て特定して、Ｔ／Ｃ４００に対して効率的にカード残度数の移行を行うよう指示することができる。
【００９５】
次に、Ｔ／Ｃ４００からカード残度数を送信されるカードユニット１００側では、Ｔ／Ｃ４００から残度数を受信したか否かを判定する（ステップＳ１３８）。ステップＳ２３３において、Ｔ／Ｃ４００からカードユニット１００へ送信されたカードの残度数が既に受信されたならば、ステップＳ１３８の判定は肯定となり、続いて受信した残度数の表示を遊技機２００へ指示する（ステップＳ１３９）。該指示を受けた遊技機１００は、その表示部２０２に当該残度数を表示することになる。
【００９６】
このように、カードユニット１００の内部に、何れも残度数が０でない複数のカードが挿入されている場合であって、複数のカードを回収する場合であっても、カード回収スイッチ１０４ｂを押下することにより、残度数を１枚のカードにまとめて価値付けしなおされるので、遊技者は、複数のカードを所持する手間から開放され、遊技店は、記録媒体としてのカード本体の回収が促進されることによりカード発行のコストダウンを図ることができる。
【実施例５】
【００９７】
以上、本発明の実施例について実施例１〜４を説明したが、本発明は、特許請求の範囲に記載した技術的思想の範囲内で、更に種々の異なる実施例で実施されてもよいものである。
【００９８】
実施例１〜４では、「カード」は、残度数のみが価値付けられた磁気カードに限定されるものとしたが、これに限らず、残度数に加えて遊技者の個人情報が紐付けられている「会員カード」であってもよい。この場合に、「プリペイドカード」と「会員カード」がカードユニット１００に混在して挿入されているときは、残度数の移行処理を禁止する禁則処理をおこなうこととしてもよい。或いは、「プリペイドカード」と「会員カード」の外観が同一であることを前提として、遊技者の個人情報と残度数とが同時に移行されるとしてもよい。
【００９９】
実施例１〜４では、「カード」自体は残度数の情報を保持せず、カードＩＤを保持するのみとし、残度数の情報はＴ／Ｃ４００でカードＩＤに対応付けて管理されるとしたが、これに限らず、「カード」自体が残度数の情報を記録して保持することとしてもよい。
【０１００】
実施例２及び３では、カードユニット１００に設けられたカード回収スイッチ１０４ｂの押下操作を受け付けてカード回収処理を行うこととしたが、これに限らず、カードユニット１００にカード回収スイッチ１０４ｂを設けず、リモートコントローラからの遠隔操作で回収処理を行うこととしてもよい。更に、このリモートコントローラに、カードユニット１００の内部に貯留されているカード数を表示することとしてもよい。
【０１０１】
カードユニット１００の内部に貯留されるカード数に上限（例えば、１０枚）を設け、貯留カード数が所定数（例えば、７枚）以上又は所定数（例えば、３枚）以下となった場合には、ランプ１０５ａを所定態様（色、点灯パターンなど）で点灯させて報知を行うこととしてもよい。
【産業上の利用可能性】
【０１０２】
以上のように、本発明に係る遊技媒体貸出装置及び遊技媒体貸出装置における遊技価値移行方法は、カードユニットに挿入される複数のプリペイドカードに価値付けられる残度数を移行させてまとめる場合に有用であり、また、カードユニットに挿入されて貯留されているプリペイドカードの回収作業を効率的に行う場合に有用である。
【図面の簡単な説明】
【０１０３】
【図１】本発明の第１の実施例に係る遊技媒体貸出装置における遊技価値移行方法の概略を説明するための説明図である。
【図２】遊技媒体貸出装置が接続される遊技媒体貸出システムのシステム構成例を示す図である。
【図３】カードユニット１００及びカードユニット１００の横に配設される遊技機２００の外観を示す正面図である。
【図４】カードユニット２００の内部構成の概略を示す図である。
【図５】カードユニット２００の内部構成を示す機能ブロック図である。
【図６】Ｔ／Ｃ４００の構成を示す機能ブロック図である。
【図７】実施例１のカード挿入検知時処理の処理手順を示すフローチャートである。
【図８】本発明の第２の実施例に係る遊技媒体貸出装置における遊技価値移行方法の概略を説明するための説明図である。
【図９】実施例２のカード回収スイッチ押下検知時処理の処理手順を示すフローチャートである。
【図１０】実施例３のカード挿入検知時処理の処理手順を示すフローチャートである。
【図１１】実施例４のカード回収スイッチ押下検知時処理の処理手順を示すフローチャートである。
【符号の説明】
【０１０４】
１００    カードユニット
１０１    主制御部
１０２ａ    カード挿入検知部
１０２ｂ    カードリーダ
１０３    カード搬送ガイド部１０３
１０７    カード貯留部
１０４ｂ    回収スイッチ
１１０    カード挿入口
２００    遊技機
２０２    表示部
３００    島コントローラ
４００    Ｔ／Ｃ
４０３    ＤＢ
４０３ｔ    残度数テーブル
【図１】
2007143933.tif 000003
【図２】
2007143933.tif 000004
【図３】
2007143933.tif 000005
【図４】
2007143933.tif 000006
【図５】
2007143933.tif 000007
【図６】
2007143933.tif 000008
【図７】
2007143933.tif 000009
【図８】
2007143933.tif 000010
【図９】
2007143933.tif 000011
【図１０】
2007143933.tif 000012
【図１１】
2007143933.tif 000013